(57)【要約】【課題】ガイドリングを保持するフレームの環状の保持部に対して、ガイドリングがガタ付いたりズレが生じることのない釣糸ガイドを提供する。【解決手段】本発明の釣糸ガイドは、フレーム２の環状の保持部２ａに、ガイドリング１０の外周に沿って設けた凹部１０ｃを係合している。そして、ガイドリング１０の凹部１０ｃは、軸線に対して直交する方向となる垂直の内側面１０ｅと、凹部の最深部１０ｄに向かって下る傾斜状の内側面１０ｆと、最深部から垂直の内側面１０ｅに向けて上昇する傾斜状の受け面１０ｇと、を有し、フレームの環状の保持部２ａの内周面は、凹部の傾斜状の内側面１０ｆと受け面１０ｇに支持される。【選択図】図５
2011092013.tif 000002
【特許請求の範囲】
【請求項１】
フレームの環状の保持部に、ガイドリングの外周に沿って設けた凹部を係合した釣糸ガイドにおいて、
前記ガイドリングの凹部は、軸線に対して直交する方向となる垂直の内側面と、前記凹部の最深部に向かって下る傾斜状の内側面と、前記最深部から前記垂直の内側面に向けて上昇する傾斜状の受け面と、を有し、
前記フレームの環状の保持部の内周面は、前記凹部の傾斜状の内側面と前記受け面に支持されていることを特徴とする釣糸ガイド。
【請求項２】
前記フレームの環状の保持部の内周面は、凸状の湾曲面で形成されていることを特徴とする請求項１に記載の釣糸ガイド。
【請求項３】
前記ガイドリングの凹部を形成する傾斜状の内側面と受け面は、凹状の湾曲面で形成されていることを特徴とする請求項１又は２に記載の釣糸ガイド。
【請求項４】
前記ガイドリングの凹部の最深部と、前記凹部の傾斜状の内側面と前記受け面に支持されたフレームの内周面との間には隙間が形成されており、
前記隙間に合成樹脂を充填したことを特徴とする請求項１から３のいずれか１項に記載の釣糸ガイド。
【請求項５】
前記ガイドリングの凹部は、垂直の内側面の方が傾斜状の内側面よりも高く形成されていることを特徴とする請求項１から４のいずれか１項に記載の釣糸ガイド。
【発明の詳細な説明】
【技術分野】
【０００１】
本発明は、釣竿に取り付けて、リールから繰り出される釣糸を挿通案内する釣糸ガイドに関する。
【背景技術】
【０００２】
従来、外ガイド方式と称される釣竿の外周面には、軸方向に所定間隔をおいて、リールから繰り出される釣糸を絡まないように挿通案内する釣糸ガイドが装着されている。このような釣糸ガイドの多くは、環状の保持部と支脚部を有するフレームと、前記環状の保持部に取り付けたガイドリングとによって構成されている。
【０００３】
例えば、特許文献１には、ガイドリングの外周面に垂直面を形成すると共に、一方の表面の縁部から前記垂直面に向かう傾斜面を形成し、前記垂直面と傾斜面によって規定される凹部内にフレームの環状の保持部を係合させた釣糸ガイドが開示されている。この釣糸ガイドによれば、ガイドリングをフレームの環状の保持部に係止させると、フレームの環状の保持部表面が前記リング状の凹部の垂直面に添接するように係合される。
【先行技術文献】
【特許文献】
【０００４】
【特許文献１】実公昭５８−４６２８８号
【発明の概要】
【発明が解決しようとする課題】
【０００５】
上記した公知のガイドリングによれば、ガイドリングに傾斜面を形成したことで、環状の保持部に対してガイドリングを垂直面側に誘導し、これにより、ガイドリングを脱落し難くすることが可能であるが、垂直面側に寄せられているだけではガイドリングの係合状態が安定しないため、環状の保持部に取り付けた後、ガイドリングがガタ付いたり、ズレが生じる可能性がある。
【０００６】
本発明は、上記した問題に着目してなされたものであり、ガイドリングを保持するフレームの環状の保持部に対して、ガイドリングがガタ付いたりズレが生じることのない釣糸ガイドを提供することを目的とする。
【課題を解決するための手段】
【０００７】
上記した目的を達成するために、本発明は、フレームの環状の保持部に、ガイドリングの外周に沿って設けた凹部を係合した釣糸ガイドにおいて、前記ガイドリングの凹部は、軸線に対して直交する方向となる垂直の内側面と、前記凹部の最深部に向かって下る傾斜状の内側面と、前記最深部から前記垂直の内側面に向けて上昇する傾斜状の受け面と、を有し、前記フレームの環状の保持部の内周面は、前記凹部の傾斜状の内側面と前記受け面に支持されていることを特徴とする。
【０００８】
上記した釣糸ガイドにおけるガイドリングの外周部分に形成される凹部は、軸線に対して直交する方向となる垂直の内側面と、前記凹部の最深部に向かって下る傾斜状の内側面と、前記最深部から前記垂直の内側面に向けて上昇する傾斜状の受け面とで構成される。このようなガイドリングをフレームの環状の保持部に装着すると、環状の保持部は、傾斜状の内側面によって垂直の内側面側に寄せられて、ガイドリングを保持すると共に、保持部の内周面が、ガイドリングの凹部の傾斜状の内側面と受け面とによって、その前後方向（釣糸が挿通する方向）で確実に支持されることから、ガイドリングのガタ付きやズレが防止される。
【発明の効果】
【０００９】
本発明によれば、ガイドリングを保持するフレームの環状の保持部に対して、ガイドリングがガタ付いたりズレが生じることのない釣糸ガイドが得られる。
【図面の簡単な説明】
【００１０】
【図１】本発明に係る釣糸ガイドの一実施形態を示す後面図。
【図２】ガイドリングの装着方法を示す側面図。
【図３】図１に示す釣糸ガイドのフレーム構造を示す後面図。
【図４】図１に示す釣糸ガイドの側面図、及び主要部の拡大図。
【図５】ガイドリングと、フレームの環状の保持部との係合状態を拡大して示す図。
【図６】ガイドリングの変形例を示し、ガイドリングと、フレームの環状の保持部との係合状態を拡大して示す図。
【発明を実施するための形態】
【００１１】
以下、本発明に係る釣糸ガイドの実施形態について具体的に説明する。  
図１から図５は、本発明に係る釣糸ガイドの実施形態を示す図であり、図１は後面図、図２はガイドリングの装着方法を示す側面図、図３は図１に示す釣糸ガイドのフレーム構造を示す後面図、図４は図１に示す釣糸ガイドの側面図、及び主要部の拡大図、そして、図５はガイドリングと、フレームの環状の保持部との係合状態を拡大して示す図である。なお、以下の実施形態では、図２の左側を穂先側（前側）、右側が手元側（後側）として、前後方向（釣糸挿通方向）を定義する。
【００１２】
釣糸ガイド１は、環状の保持部２ａと支脚部２ｂを有するフレーム２と、保持部２ａ内に取り付けたガイドリング１０とによって構成されている。
【００１３】
前記フレーム２は、例えば、チタン（純Ｔｉ）や、公知の種々のチタン系合金、ステンレス等の金属で一体形成することが可能であり、上記のように、環状の保持部２ａと、この環状の保持部から下方に延びる支脚部２ｂとを有している。前記支脚部２ｂは、前記環状の保持部２ａを径方向両側で支持すると共に、それぞれの側部で下方に向けて互いに接近するように延設された一対の脚部２ｄと、一対の脚部２ｄの下端部において略水平方向に屈曲された足部２ｅとを有している。この足部２ｅは、その裏面側に釣竿に対する載置面２ｆが形成されており、この足部が、釣竿Ｒの外周面に糸巻き７等によって固定されるようになっている。なお、糸巻き７をした後、糸止め用の樹脂８が被着される。
【００１４】
前記フレーム２の環状の保持部２ａは、その厚みＬ２よりも大きな幅Ｌ１を有しており、内側にガイドリング１０を取り付ける円形の孔３を有している。また、環状の保持部２ａは、任意の位置（本実施形態では、図１に示すように下端位置とされる）で、所定の間隙を生じさせて切断されており、これにより外側から孔３に通じる切欠部４が形成されている。図において、切断された環状の保持部２ａの端部（爪状の突起部）のそれぞれを符号４ａで示しており、切欠部４は、両端部４ａの先端面４ｂが所定の間隙をおいて向かい合うことで形成されている。なお、フレーム２の保持部２ａの厚みＬ２は、釣糸ガイド１を釣竿に取り付けて釣糸が挿通される前後方向の厚み（長さ）であり、幅Ｌ１は環状の保持部２ａの径方向の幅（長さ）とする。
【００１５】
前記両端部４ａは、先細り形状に形成されている。ここで、先細り形状とは、図１で示すように、正面視で先端に移行するにしたがって幅Ｌ１が小さくなるもの、先端に移行するにしたがって厚みＬ２が小さくなるもの、先端に移行するにしたがって幅、厚みが共に小さくなるもの等、先端に移行するに連れて剛性が小さくなるように構成されたもので、本実施形態では、図１に示すように、それぞれの端部４ａを構成する下縁４ｃは、互いに略水平方向に延出し、その上縁が孔３を規定する円弧として構成されることで、先細り形状となっている。なお、本実施形態では、両端部４ａにおける後面４ｄ及び前面４ｅも、先端に移行するにしたがって互いに接近して厚みが小さくなっており、先細り形状となっている（図４の拡大図参照）。
【００１６】
また、前記フレーム２には、保持部２ａから左右両側の支脚部２ｂに移行する範囲において、切欠部４が形成される部分（両端部４ａ）に連なる保持部２ａの幅Ｌ１が大きく形成された拡張部２Ａが形成されている。本実施形態では、上記のように、切欠部４が保持部２ａの下端位置とされていることから、拡張部２Ａは、図３に示すように、保持部２ａの左右両側の位置（保持部２ａの中心位置を通った水平方向の両側位置；符号Ｐで示す）から、切欠部４が形成される下方位置に向けて、次第に幅広に形成されている。図においてこのような拡張部を網掛け部分で示し、拡張部２Ａと隣接する保持部２ａを一定の幅Ｌ１にて延長した領域２ａ´として斜線模様部分で示し、拡張部２Ａとの仮想境界を二点鎖線で示している。なお、拡張部２Ａの下端側は、前記一対の脚部２ｄとの境界位置Ｐ１となる。すなわち、符号ＰからＰ１の範囲内が拡張部２Ａとして定義され、この拡張部２Ａによって、切欠部４を形成する両端部４ａを補強する機能を有する。
【００１７】
前記拡張部２Ａは、保持部２ａから支脚部２ｂに向けて、その両側が絞り込まれるように細くなって支脚部２ｂに変位する（または、支脚部２ｂが保持部２ａに向かって広がる）。拡張部２Ａは、支脚部２ｂに向かう中央側が最も幅Ｌ１が大きく形成され、その一側は、端部４ａに連なり、端部４ａから支脚部２ｂに向けて徐々に幅Ｌ１が大きくなる。
【００１８】
そして、前記環状の保持部２ａ及び支脚部２ｂを有するフレーム２は、金属板を所定の形状にプレス加工で打ち抜き、所定の部分を湾曲することで一体形成されている。したがって、フレーム２の各部は、プレス加工する金属板の上下面によって形成される部分と、切断面によって形成される部分があり、フレーム２の前後面（穂先側の面と手元側の面であり、例えば前記前面４ｅ及び後面４ｄも該当する）は、金属板の上下面によって形成され、フレーム２の周面（側面）の厚み部分は、金属板の切断面によって形成されている。
【００１９】
また、フレーム２の周面（側面）は、フレーム２の外側に形成される外周面２ｉと、フレーム２の内側に形成される内周面２ｈを有し、環状の保持部２ａについても外周面２ｉと内周面２ｈを有し、孔３が形成された内周面２ｈ側がガイドリング１０の凹部１０ｃに係合するようになっている。
【００２０】
なお、フレーム全体は研磨（バレルなど）されることで表面が磨かれており、好ましくは、フレームの周面（側面）については、縁部を研磨しておき、フレーム２の前後面から周面に傾斜面を介して変移するように形成して凸状の湾曲面としたり、図４及び図５に示すように、周面（外周面２i、内周面２ｈ）が外側に向かって一連の凸状の湾曲面が生じるように形成されている。
【００２１】
前記ガイドリング１０は、金属、セラミック等の硬質材料で形成された円形のリングであり、内周に釣糸が挿通される孔１０Ａを備えている。すなわち、ガイドリング１０に対しては、孔１０Ａの中心を通る線（このような中心線をガイドリングの軸線Ｘとする）に沿って釣糸が挿通される。
【００２２】
前記ガイドリング１０には、外周に沿って一対のフランジ１０ａ，１０ｂが形成されており、これらのフランジ間に凹部（円周溝）１０ｃが形成されている。
【００２３】
本実施形態では、前記一対のフランジの内、一方（前方フランジ１０ｂ）は高く形成されており、ガイドリングの外周は、その前後のフランジで径が異なるように形成されている。すなわち、一対のフランジ間によって形成される凹部１０ｃの最深部（底部）１０ｄを基点とした前記軸線Ｘと直交する方向の高さは、前方フランジ１０ｂの高さＨが、後方フランジ１０ａの高さｈよりも高く形成されており、これによりガイドリング外周に段差を生じさせている。前記凹部１０ｃは、前記最深部１０ｄを中心として、その前後のフランジ１０ｂ，１０ａの各内側の面によって形成されている。
【００２４】
具体的に、前記凹部１０ｃは、ガイドリング１０の外周に沿って設けられ、前記軸線Ｘに対して直交する方向となるように最深部１０ｄ側からガイドリング１０の外周に向かって延びるＸ軸に垂直の内側面１０ｅと、凹部１０ｃの最深部１０ｄに向かって下る傾斜状の内側面１０ｆと、最深部１０ｄから垂直の内側面１０ｅに向けて上昇する傾斜状の受け面１０ｇと、によって構成されている。ここで、前記垂直の内側面１０ｅとは、前記軸線Ｘに対して正確に直交する方向のみならず、その直交する方向に対して多少傾斜する構成も含まれる。
【００２５】
そして、ガイドリング１０の凹部１０ｃの垂直の内側面１０ｅがフレーム２の環状の保持部２ａの前面（または後面）に対向して支持されることでガイドリング１０が、釣糸が通りやすい正面方向を向いて支持される。
【００２６】
このため、前記垂直の内側面１０ｅは、高いフランジ１０ｂの内側面によって形成され、前記傾斜状の内側面１０ｆは、低いフランジ１０ａの内側面によって形成され、前記受け面１０ｇは、最深部１０ｄと垂直の内側面１０ｅとの間を連結する湾曲面によって形成される。したがって、垂直の内側面１０ｅ、及び傾斜状の内側面１０ｆについては、図５に示すように、各フランジ１０ｂ，１０ａのそれぞれの方向軸線Ｙ２，Ｙ１に沿った方向となる。
【００２７】
本実施形態では、フランジ１０ａの内側面によって形成される傾斜状の内側面１０ｆは、凹部１０ｃの後ろ側から最深部１０ｄに向けて僅かに凹状の湾曲面を有する下りの傾斜面でフランジ１０ａの上部から最深部１０ｄにかけて形成されており、かつ受け面１０ｇについても、最深部１０ｄから垂直の内側面１０ｅに向けて僅かに凹状の湾曲面を有する上昇した傾斜面で形成されている。これにより、凹部１０ｃの最深部１０ｄの前後は、凹部の幅方向（軸線Ｘ方向）に、凹状（弧状）の湾曲面として構成されている。
【００２８】
なお、受け面１０ｇと内側面１０ｆは、共に最深部１０ｄから凹部１０ｃのそれぞれ前後方向に延びる傾斜面であるが、受け面１０ｇは内側面１０ｆよりも最深部１０ｄからの高さが低く形成される。
【００２９】
また、ガイドリング１０は、前方フランジ１０ｂから最深部１０ｄを介して後方フランジ１０ａに至るまで、肉厚Ｔが略同じに形成されており、釣糸が挿通される孔１０Ａの内側面は、凹部内側面に対応した（準じた）形状に形成されている。
【００３０】
上記した構成において、環状の保持部２ａ内にガイドリング１０を取り付ける際、保持部２ａに対して、ガイドリング１０を高さの低いフランジ（後方フランジ）１０ａ側から前後方向（釣糸の挿通方向）に押圧すると、フレーム２の弾性（特に、切欠部４を規定する両端部４ａの弾性）に抗して、前記切欠部４を含む保持部２ａを広げながら圧入が成され、保持部２ａは、フランジ１０ａを乗り越えて凹部１０ｃ内に入り込む。この場合、フランジ１０ａの端部表面を円弧状の湾曲面１０ｍとしておくことで、圧入操作が容易に行えるようになる。そして、凹部１０ｃ内に入り込んだ保持部２ａは、前記下りの傾斜状の内側面１０ｆに誘導され、弾性変形から復元されるにつれて傾斜状の内側面１０ｆの下方に移動して垂直の内側面１０ｅ側に近寄った位置で凹部１０ｃに係合する。
【００３１】
このとき、保持部２ａは、垂直の内側面１０ｅに近接、または当接されており、近接している場合でも、保持部２ａが凹部１０ｃ内で動いたときは前面が内側面１０ｆにすぐに当接し、保持部２ａが垂直な内側面１０ｅに沿った状態に維持される。また、保持部２ａの内周面２ｈは、前側を受け面１０ｇで、後側を傾斜状の内側面１０ｆで（少なくとも２点で）安定して支持されるようになる（図５参照）。この場合、ガイドリング１０は、フレーム２の中心を通る軸線Ｙと凹部の最深部１０ｄを一致させることで、より安定して支持することが可能となる。
【００３２】
上記した構成によれば、環状の保持部２ａは、傾斜状の内側面１０ｆによって垂直の内側面１０ｅ側に寄せられて、ガイドリング１０を保持すると共に、保持部２ａの内周面２ｈが傾斜状の内側面１０ｆと受け面１０ｇとによって、それぞれ接点Ｓ１，Ｓ２にて当接し、その前後方向（釣糸が挿通する方向）で確実に支持されることとなり、これにより、ガイドリング１０のガタ付きやズレが防止される。
【００３３】
また、上記したように、保持部２ａの周面（内周面２ｈ）は、凸状の湾曲面で構成されていることから、傾斜状の内側面１０ｆと受け面１０ｇに当接した際、角状の部分で当接するよりも広く接触し易く、ガイドリング１０との係合状態がズレても当接状態を維持し易くなり、ガイドリング１０に対する支持が安定し、急激な位置移動が防止されて支持状態が安定する。
【００３４】
また、保持部２ａの周面（外周面２ｉ、内周面２ｈ）は、保持部２ａの平面状の前後面が縁部にて周面側に向かうように変移する部分を含み、凹部１０ｃに対しては、内周面２ｈがその縁部側の接点Ｓ１，Ｓ２にて当接する。したがって、保持部２ａは、ガイドリング１０の凹部１０ｃを、孔１０Ａ方向に押圧するようにして支持される。
【００３５】
同様に、傾斜状の内側面１０ｆと受け面１０ｇについても凹状の湾曲面で構成されていることから、接触領域を広くすることができ、前記凸状の湾曲面２ｈの当接と相俟って急激な位置ズレが無くなって接触状態が維持され、安定してガイドリングを固定することが可能となる。
【００３６】
なお、保持部２ａの内周面２ｈにおける凹部１０ｃ内のガイドリング１０に対する接点Ｓ１，Ｓ２は、前後面よりも軸線Ｙに近い位置となる。
【００３７】
さらに、本実施形態では、ガイドリング１０の外周に高さの異なるフランジ１０ａ，１０ｂを形成したことで、保持部に対して、高さの高いフランジ側の垂直の内側面１０ｅを近接、または当接させることができ、ガイドリングの方向を保持しておくことが可能となる。
【００３８】
また、上記した構成の釣糸ガイドでは、ガイドリング１０の凹部１０ｃの最深部１０ｄと、凹部の傾斜状の内側面１０ｆと受け面１０ｇに支持されたフレーム２の内周面（凸状の湾曲面）２ｈとの間に隙間を形成することが可能となるため、この隙間に、合成樹脂３０を充填しておくことが好ましい。これにより、ガイドリング１０のガタ付きやズレをより確実に防止することが可能となる。この場合、図５に示すように、合成樹脂３０は、傾斜状の内側面１０ｆとフレーム（保持部）の後面との間に介在させても良い。
【００３９】
上述した本実施形態の構成では、環状の保持部２ａの両端部４ａが先端に向けて先細り形状となっていることから、ガイドリング１０の圧入時に、先端に向けて徐々に弾性変形して歪むことが可能となり、容易にガイドリングを圧入操作することができる。また、上記の圧入操作時に、両端部４ａが弾性変形するときは、これに連なる拡張部２Ａによって補強されているため、フレーム部分が塑性変形することが防止され、さらに、拡張部２Ａから延設された左右の支脚部２ｂによって、広がった保持部２ａを押し戻して復元を補助することができる。
【００４０】
そして、上記したガイドリングの固定状態では、図１に示すように、保持部２ａの両端部４ａの先端は、フランジの周縁（高さが高いフランジ１０ｂ）の径方向内側に位置しており、フランジの外側に突出しないため、釣糸が引っ掛かることが防止され、糸切れ等が生じることが防止される。また、挿通した釣糸に張力が作用しても、保持部２ａの両端部４ａがその先端になるにしたがって大きく弾性変形しながら歪むため、フレーム自体が変形し難くなり、釣糸に対する張力を緩和して糸切れが防止されると共に、ガイドリング１０の脱落も効果的に抑制することが可能となる。
【００４１】
以上、本発明の実施形態について説明したが、本発明は上記した実施形態に限定されることはなく、種々変形することが可能である。
【００４２】
例えば、凹部１０ｃの最深部１０ｄに向かって下る傾斜状の内側面１０ｆと、最深部から垂直の内側面１０ｅに向けて上昇する傾斜状の受け面１０ｇについては、フレーム２の保持部２ａの内周面２ｈを少なくとも２点で当接支持する構成であれば良く、図６に示すように、平面状の傾斜面で構成しても良い。また、この図に示すように、保持部２ａは、垂直の内側面１０ｅに当接するように構成しても良い。
【００４３】
また、保持部２ａの両端部４ａは、先細り形状でなくても良く、さらに、切欠部４を形成せずに、保持部２ａを連続した環状に形成してガイドリング１０を取り付けても良い。
【００４４】
また、釣糸ガイドを構成するフレームの構成材料や、フレーム部分の形状、大きさ等の構成については、それが用いられる釣竿や節部分（元竿、中竿、穂先竿）に応じて適宜変形することが可能である。
【００４５】
また、ガイドリングに形成されるフランジについては、保持部２ａに対して効果的に圧入でき、かつ上記したような少なくとも２点の支持ができれば、フランジの構成についても適宜変形することが可能である。
【符号の説明】
【００４６】
１  釣糸ガイド
２  フレーム
２ａ  保持部
１０  ガイドリング
１０ａ，１０ｂ  フランジ
１０ｃ  凹部
１０ｄ  最深部
１０ｅ  垂直の内側面
１０ｆ  傾斜状の内側面
１０ｇ  受け面
Ｒ  釣竿
【図１】
2011092013.tif 000003
【図２】
2011092013.tif 000004
【図３】
2011092013.tif 000005
【図４】
2011092013.tif 000006
【図５】
2011092013.tif 000007
【図６】
2011092013.tif 000008